(57)【特許請求の範囲】
【請求項１】
チェーン状部材（４）の一端に商品保持用の環状連結部（５）を有すると共に、前記チェーン状部材（４）の他端に表示札等を保持する係合保持部（６）を有し、前記環状連結部（５）を、合成樹脂製の係合雄部（２）と、該係合雄部（２）に係合する係合雌部（３）と、リング状の第１連結リング部（５０）と、該第１連結リング部（５０）を基端として一方に伸びる二本の第１連結部材（５１，５１）より形成すると共に、一方の第１連結部材（５１）の先端に前記係合雄部（２）を設け、他方の第１連結部材（５１）の先端に前記係合雌部（３）を設け、且つ、前記第１連結リング部（５０）を前記チェーン状部材（４）の一端に連結し、更に、前記チェーン状部材（４）の他端に前記係合保持部（６）の第２連結リング部（６０）を連結させたことを特徴とする表示札等の吊下具。
【請求項２】
前記係合雄部（２）は、拡縮可能な係合部（２２）を後側に有する頭部（２３）を首部（２１）を介して筒状の基部（２０）に支持して形成されると共に、前記係合雌部（３）は、略中央に環状突起（３３）を有し、且つ、前記係合雄部（２）に嵌合する嵌合孔（３１）を筒状の枠部（３２）に設けて形成され、前記係合保持部（６）は、係合突起（６２）を有する押圧部（６１）と、係合孔（６６）を有する押圧部（６５）と、リング状の第２連結リング部（６０）と、該第２連結リング部（６０）を基端として一方に伸びる二つの第２連結部材（６３，６３）より形成され、かつ、一方の第２連結部材（６３）の先端に前記押圧部（６１）を設け、他方の第２連結部材（６３）の先端に前記押圧部（６５）を設けている請求項１記載の表示札等の吊下具。
【発明の詳細な説明】
【０００１】
【発明の属する技術分野】
本発明は、衣料品などに値札や品質表示用の表示札等を取り付ける吊下具の改良に関するものである。
【０００２】
【従来の技術】
従来は、店頭に陳列する衣料品等に対して、値段や品質等を表示するための表示札を取り付ける場合に、図１０に示すように表示札９の孔９ａに糸91を通して糸のループ92を作り、このループ92を商品８のボタン孔８ａ等に通して、更に、このループ92の間に表示札９を潜らせて、表示札９を取り付けている。
【０００３】
更に、係止片吊下具（取り付けガン）を用いてワンタッチで、図１１に示すように、頭部96とフィラメント部（線状部）97と、この端部にＴ形に固定した横棒部98とを一体成型した合成樹脂製の係止片（タグピン）95を、衣服等の生地８に取り付けガンで打ち込んで、表示札９を取り付ける方法が提案されている。
【０００４】
【発明が解決しようとする課題】
しかしながら、表示札９を糸91で括った場合には、糸91が縒れたりして、表示札９を外す際にこの糸91の括りを解くのに手間がかかるという問題があり、見た目も単に表示札９がぶら下がっているだけで装飾性がないという問題がある。
また、係止片95を使用して表示札９を衣服８等に取り付ける場合には、取り付ける際に先端に中空針を持つ専用の取付ガンが必要になる上に、厚手の生地に対しては比較的問題は少ないが、繊細な糸を使用した高級衣服や婦人用下着類等の薄手で弱い布地の場合には、取り付ける際に中空針を衣服等に突き刺すことによって損傷を起こしたり、表示札９が引張られた時に端部の横棒部98で衣料品の生地８を損傷したり、また、展示中に生地８に目ズレを起こしたりして、衣服等の品質を落としてしまうという問題がある。
【０００５】
その上、この係止片95で取り付けられた表示札９を取り外すために、フィラメント部97を切断するが、この横棒部98を含む小さなＴ字形状になった端部が、商品内に残って生地を傷めという問題があり、しかも、この小さな端部を捜し出して始末するには手間がかかるという問題がある。
また、合成樹脂製で係合雄部と係合雌部との間を延伸したフィラメント部で連結した表示札等の取付け具があり、多くの商品で利用されているが、この場合には、合成樹脂を延伸する必要があるため、製造工程に延伸工程が必要になって製造コストがアップする上に、ナイロンやポリプロピレン等の延伸ができる合成樹脂しか使用できず、メタクリル樹脂やポリスチレンのように透明性のある美観や強度に優れている合成樹脂を使用することができないという問題がある。
【０００６】
その上、係合雄部と係合雌部が係合された時に、延伸されたテグスのように硬さのあるフィラメント部が商品の取付け面に突出した曲線を形成するので、見苦しく、また、商品を重ねる時に邪魔となるので、比較的薄物が多い絹製品などの高級品には向かないという問題がある。
しかも、高級品も低価格品と同じように、テグス状の剛直なフィラメント部で表示札等が取り付けられているため、商品から離れて立上がり、高級感がなく、消費者に対する高級イメージのアピール度が足りないという商品表示上の重要な問題があった。このような観点から、ネックレスのように一見して高級感を受けることのできる、美観に優れしかも手触りも良く、取り扱いも容易な可撓性に富んだ表示札等の吊下具が必要とされている。
【０００７】
本発明は前記したような問題点を解決するためになされたものであって、その目的は、衣料品等への表示札等の吊下げ、取付けが簡単にできると共に、フィラメント部の代わりにチェーン状部材を使用し、このチェーン状部材による装飾効果を生かして高級感を表現でき、しかも、延伸できない合成樹脂材料でも成形可能なものであれば使用可能な可撓性に富んだ表示札等の吊下具を提供することにある。
【０００８】
【課題を解決するための手段】
本発明の表示札等の吊下具は、チェーン状部材（４）の一端に商品保持用の環状連結部（５）を有すると共に、前記チェーン状部材（４）の他端に表示札等を保持する係合保持部（６）を有し、前記環状連結部（５）を、合成樹脂製の係合雄部（２）と、該係合雄部（２）に係合する係合雌部（３）と、リング状の第１連結リング部（５０）と、該第１連結リング部（５０）を基端として一方に伸びる二本の第１連結部材（５１，５１）より形成すると共に、一方の第１連結部材（５１）の先端に前記係合雄部（２）を設け、他方の第１連結部材（５１）の先端に前記係合雌部（３）を設け、且つ、前記第１連結リング部（５０）を前記チェーン状部材（４）の一端に連結し、更に、前記チェーン状部材（４）の他端に前記係合保持部（６）の第２連結リング部（６０）を連結させたことを特徴としている。
【０００９】
更に、前記係合雄部（２）は、拡縮可能な係合部（２２）を後側に有する頭部（２３）を首部（２１）を介して筒状の基部（２０）に支持して形成されると共に、前記係合雌部（３）は、略中央に環状突起（３３）を有し、且つ、前記係合雄部（２）に嵌合する嵌合孔（３１）を筒状の枠部（３２）に設けて形成され、前記係合保持部（６）は、係合突起（６２）を有する押圧部（６１）と、係合孔（６６）を有する押圧部（６５）と、リング状の第２連結リング部（６０）と、該第２連結リング部（６０）を基端として一方に伸びる二つの第２連結部材（６３，６３）より形成され、かつ、一方の第２連結部材（６３）の先端に前記押圧部（６１）を設け、他方の第２連結部材（６３）の先端に前記押圧部（６５）を設けている。
【００１０】
この構成により、環状連結部側では、係合雄部を係合雌部に係合させることにより、第１連結部材によるループを形成することができ、このループにより商品側にこの吊下具を簡単に取り付けることができ、また、係合保持部側では、表示札等の孔部に押圧部の係合突起を挿入し、押圧部と係合部を重ねて押圧することにより、両者を係合させて表示札等を容易に保持できるので、衣料品やハンドバク等の商品に表示札等を吊下げることができる。
【００１１】
そして、この商品側の環状連結部と表示札側の係合保持部との間を美観に優れたチェーン状部材で結合しており、このチェーン状部材は、平面的に置いた時は、商品等の上に沿って載せられた感じとなり、見た目のフィット感があたかもネックレスのように良いので、商品に柔らかく優しい感じを与えることができる。また、このチェーン状部材で、簡単なカーブを描くこともできるので、装飾効果を上げることができる。従って、商品に対して高級品としてのイメージを与えることができる。
【００１２】
【発明の実施の形態】
以下図面に基づき本発明による可撓性に富んだ表示札等の吊下具の実施の形態について説明する。
図１〜図３に示すように、本発明に係る可撓性に富んだ表示札等の吊下具１は、チェーン状部材４の一端側に環状連結部５を有し、他端側に係合保持部６を有して形成されれる。
【００１３】
この環状連結部５は、合成樹脂製の係合雄部２と、この係合雄部２に係合する係合雌部３と、この両者２、３に第１連結部材51で連結された第１連結リング部50とから形成されており、この第１連結リング部50でチェーン状部材４の一端に連結されている。
また、係合保持部６は表示札等を保持できるように形成され、この係合保持部６に設けられた第２連結リング部60でチェーン状部材４の他端に連結されている。
【００１４】
このチェーン状部材４は小さなリング（輪）の結合によって形成されるが、このリング形状も長円形のリングや丸形のリングや角形のリング等様々な形状のリングを使用することができる。このリングの種類に関しては、単一でも複数のリング形状や複数の色を用いて形成して装飾効果を上げてもよい。また、通常は合成樹脂製であるが、金属製でもよく、取り付ける商品や表示札に合う見栄えのよい材料を使用するのがよい。
【００１５】
そして、環状連結部５の係合雄部２は、図１〜図４に示すように、第１連結部材51に連結された円筒状の基部20と、首部21を介して設けられた頭部23とから形成され、この頭部23の首部21側には拡縮可能な逆進防止の係止部22が設けられている。この係止部22は、嵌合孔31の略中心に設けられた環状突起33部分を通過する際には縮径し、通過後は拡開するように弾性的に拡縮可能に形成される係止片22ａを有している。
【００１６】
更に、ストッパー部24がこの係合片22ａの後端から環状突起33の厚さ分以上後方の基部20に設けられている。このストッパー部24は、環状突起33部分の貫通穴より大きい径で、かつ、嵌合孔31より小さい径で形成される。
また、環状連結部５の嵌合部３は、頭部23が嵌入可能な嵌合孔31を有する枠部32と、この枠部32に連結する円筒状の基部30と、この基部30に第１連結部材51で連結する第１連結リング部50とから形成されている。また、上述したように、この嵌合孔31の略中央部分に、嵌合孔31を小径にする環状突起33が設けられている。
【００１７】
また、係合保持部６は、図１〜図３と図５に示すように、先端の中央に溝を持ち拡縮可能な円筒状の係合突起62を有する雄型である円盤状の押圧部61と、この係合突起62が貫入する係合孔66を有する雌型である円盤状の係合部65とから形成され、更に、係合の際の係合突起62を平坦面で受けるように、この係合部65に溝部67が設られている。この押圧部61と係合部65とを第２連結部材63で第２連結リング部60に連結している。
【００１８】
そして、係合雄部２に設けられる係合部22に関しては、図６、図７に示すような構成にすることもできる。即ち、係合部22の突起部分22ｂの内側に溝部27を設けて、中央部25と側壁部26を形成し、この係合部分22ｂが嵌合孔31の環状突起部33を通過する時には、この側壁部26が中央部25に寄り添って小径となり、通過させる。通過後は弾性により、元の径に戻り、係合部22ｂの後端部22ｃが逆進を妨げる。また、図７の係止部22は中央部25の図面上で下側に中央溝28を設け、この下側の部分も小径となる弾性変形ができるように構成したものである。
【００１９】
また、商品の形状やや表示札等の大きさに対応して変化するが、このチェーン状部材４の長さは２０〜１００ｍｍ程度で、好ましくは約５０ｍｍとし、表示札等を取り付け易く、また、表示札等が見やすく、取り扱いの邪魔にならない長さとする。また、環状連結部５の係合雄部２と第１連結リング部50との間や第１連結部50と嵌合部３との間を連結するそれぞれの連結部材51の直径は０．４〜１．０ｍｍで、長さは２０〜５０ｍｍ程度である。
【００２０】
この構成の可撓性に富んだ表示札等の吊下具１では、図８と図９に示すように表示札４等は環状連結部５の係合雄部２と嵌合部３との係合によってできる連結部材51のループで簡単にハンドバックの把手等の商品７に取り付けることができる。また、図５のその断面を示すように：表示札９は押圧係合部６の押圧部61の係合突起62を表示札９の取付け孔９ａに通して、係合部65の係合孔66に挿入することにより係合して、表示札９を保持する。
【００２１】
従って、以上の構成の可撓性に富んだ表示札等の吊下具１によれば、商品７と表示札９との間を美観に優れまた手触り感覚の良いチェーン状部材４で連結しているので、商品７と表示札９を略水平に平面的に置く場合は、可撓性に富むこのチェーン状部材４は、商品７等の上に沿って載せられた感じとなり、見た目のフィット感があたかもネックレスのように良いので、商品７に柔らかく優しい感じを与えることができる。また、このチェーン状部材４で、簡単なカーブを描くこともできるので、装飾効果を更に上げることができる。
【００２２】
また、吊り下げた場合は、チェーン状部材４で多少の回転ができるように吊り下げられるので、表示札９等にモビールのような動的な動きを与えたり、チェーン状部材４の個々の輪による光の反射やチェーン状部材４の質感により、高級なイメージを与えることができる。
更に、第１連結部や第２連結部に延伸したフィラメント部分を使用しない場合には、ポリアミド（ナイロン等、ＰＡ）、ポリプロピレン（ＰＰ）等の延伸可能な合成樹脂以外にも、メタクリル樹脂（ＰＭＭＡ）やポリスチレン（ＰＳ）等の透明性・光沢・着色性等の美観や強度・耐久性に優れている合成樹脂も使用でき、その上、延伸工程も省略できるので製造が容易となり、製造コストも低下できる。
【００２３】
【発明の効果】
以上の説明から明らかなように、本発明に係る可撓性に富んだ表示札等の吊下具は、環状連結部側では、係合雄部を係合雌部に係合させてできる第１連結部材のループにより、商品側にこの吊下具を簡単に取り付けることができ、また、係合保持部側では、押圧部と係合部を重ねて押圧係合することにより、両者の間で表示札等を容易に保持できるので、衣料品やハンドバク等の商品に表示札等を非常に簡単に吊下げることができる。
【００２４】
そして、この商品側の環状連結部と表示札側の係合保持部との間を美観に優れたチェーン状部材で結合しており、このチェーン状部材は、平面的に置いた時は、商品等の上に沿って載せられた感じとなり、見た目のフィット感があたかもネックレスのように良いので、商品に柔らかく優しい感じを与えることができる。また、このチェーン状部材で、簡単なカーブを描くこともできるので、装飾効果を上げることができる。
【００２５】
また、吊り下げた場合は、チェーン状部材で多少の回転ができるように吊り下げられるので、表示札等にモビールのような動的な動きを与えたり、チェーン状部材の個々の輪による光の反射やチェーン状部材の質感により、高級なイメージを与えることができる。
従って、商品に対して高級品としてのイメージを与えることができ、消費者の購買心を刺激できるので、販売効果を上げることができる。
【図面の簡単な説明】
【図１】本発明に係る可撓性に富んだ表示札等の吊下具の正面図である。
【図２】図１をＸ方向から見た図である。
【図３】図１をＹ方向から見た図である。
【図４】本発明に係る係合雄部と係合雌部の係合状態を示す部分断面図である。
【図５】本発明に係るの係合保持部の係合状態を示す部分断面図である。
【図６】本発明の係合雄部の第２の実施の形態を示す部分斜視図である。
【図７】本発明の係合雄部の第３の実施の形態を示す部分斜視図である。
【図８】本発明に係る可撓性に富んだ表示札等の吊下具の使用状態を示す説明図である。
【図９】図８をＺ方向から見た図である。
【図１０】従来技術の糸のループを使用した表示札等の取付方法を示す説明図である。
【図１１】従来技術の合成樹脂製の係止片（タグピン）を使用した表示札等の取付状態を示す説明図である。
【符号の説明】
１  …  可撓性に富んだ表示札等の吊下具
２  …  係合雄部              ３  …  係合雌部
４  …  チェーン状部材        ５  …  環状連結部
６  …  係合保持部            ７  …  商品（ハンドバックの把手）
９  …  表示札                ９ａ…  取付け孔
20  …  基部                  21  …  首部
22  …  係止部                22ａ…  係止片
23  …  頭部                  24  …  ストッパー部
30  …  基部                  31  …  嵌合孔
32  …  枠部                  33  …  環状突起
50  …  第１連結リング部      51  …  第１連結部材
60  …  第２連結リング部      61  …  押圧部
62  …  係合突起              63  …  第２連結部
65  …  係合部                66  …  係合孔
【図１】
0003907290.tif 000002
【図２】
0003907290.tif 000003
【図３】
0003907290.tif 000004
【図４】
0003907290.tif 000005
【図５】
0003907290.tif 000006
【図６】
0003907290.tif 000007
【図７】
0003907290.tif 000008
【図８】
0003907290.tif 000009
【図９】
0003907290.tif 000010
【図１０】
0003907290.tif 000011
【図１１】
0003907290.tif 000012